(57)【特許請求の範囲】
【請求項１】
厚さ方向を有し、拭き取り面及びその反対側に位置する指当接面を含む拭浄シートにおいて、
前記拭き取り面に位置する第１層と、前記指当接面に位置する第２層と、前記第１層と前記第２層との間に位置する第３層とを有するスパンレース不織布であって、
前記第１及び第２層は親水性繊維を含み、前記第３層はセルロース系の親水性繊維を含み、
前記拭き取り面は、凹部と凸部とを含む凹凸構造を有し、
前記凸部と前記凹部との前記厚さ方向における寸法差が０．５−１．５ｍｍであって、
単位面積１．０〜４．０ｃｍ２に占める前記凸部の総面積率が２０−４０％であって、
面積１．２ｃｍ２を有する先端部を含む測定棒を使用した突き刺し試験において、ドライ状態における、突き刺し強度が２４．９−４９．６Ｎであって、
ウエット状態における突き刺し強度が１９．５−３５．３Ｎであって、ドライ状態における突き刺し強度に対するウエット状態における突き刺し強度の低下率が３０％以内であることを特徴とする拭浄シート。
【請求項２】
前記第１及び第２層の親水性繊維が、セルロース系繊維及び親水化合成繊維の混合である請求項１に記載の拭浄シート。
【請求項３】
前記第３層のセルロース系の親水性繊維が、パルプ繊維である請求項１又は２に記載の拭浄シート。
【請求項４】
前記凸部は、複数のラインが交差する格子形態を有し、前記複数のラインどうしが交差する交点において最も厚さ方向外側へ突出する突出部分が位置する請求項１〜３のいずれかに記載の拭浄シート。
【請求項５】
前記突出部分の幅寸法が、前記凸部の幅寸法よりも大きい請求項４に記載の拭浄シート。
【請求項６】
厚さ方向を有し、拭き取り面及びその反対側に位置する指当接面を含む拭浄シートにおいて、
前記拭き取り面に位置する第１層と、前記指当接面に位置する第２層と、前記第１層と前記第２層との間に位置する第３層とを有するスパンレース不織布であって、
前記第１及び第２層は親水性繊維を含み、前記第３層はパルプ繊維を含み、
前記拭き取り面は、凹部と凸部とを含む凹凸構造を有し、
前記凸部と前記凹部との前記厚さ方向における寸法差が０．５−１．５ｍｍであって、
単位面積１．０〜４．０ｃｍ２に占める前記凸部の総面積率が２０−４０％であって、
前記第１及び第２層の親水性繊維の繊維長が、２０−５０ｍｍの、レーヨン繊維及び親水化ＰＥＴ繊維から構成されており、前記パルプ繊維の平均繊維長は２．０−３．０ｍｍであることを特徴とする拭浄シート。
【請求項７】
前記第３層の厚さ寸法が、前記第１層の厚さ寸法よりも小さく、かつ、前記第２層の厚さ寸法よりも小さい請求項１〜６のいずれかに記載の拭浄シート。
【発明の詳細な説明】
【技術分野】
【０００１】
本開示は、陰部に付着した排泄物を拭き取るための拭浄シートに関する。
【背景技術】
【０００２】
従来、粉塵や排泄物を拭き取るための繊維不織布シートは公知である。例えば、特許文献１には、表裏面側にバインダー層を有し、複数の貫通孔が形成された繊維不織布シートが開示されている。また、特許文献２には、熱融着性繊維とセルロース繊維とが結合された親水性の基材シートを有し、基材シートには複数のスリット（切り込み）が形成された繊維不織布シートが開示されている。
【先行技術文献】
【特許文献】
【０００３】
【特許文献１】特開２００１−１４６６６５号公報
【特許文献２】特開平１１−１５５７９１号公報
【発明の概要】
【発明が解決しようとする課題】
【０００４】
特許文献１に開示された繊維不織布シートによれば、複数の貫通孔を有することによって、粉塵や排泄物を掻き取るように拭き取ることができるとともに、表裏面側にバインダー層が位置することによって、シート強度に優れる。また、特許文献２に開示された繊維不織布シートによれば、複数のスリットを有することによって、粉塵や排泄物を掻き取るように拭き取ることができるとともに、シートが親水性を有するので、薬剤を含浸することによって細菌の繁殖を抑制することができる。
【０００５】
しかし、例えば、使い捨ておむつを着用した乳幼児や寝たきりの高齢者等の着用者の陰部に付着した排泄物を拭き取るためのシートとして、特許文献１及び特許文献２に開示された繊維不織布シートに温水や洗浄液等の液体を吸収させて使用した場合には、使用者（例えば、介護者や保護者）が人差し指や中指等でシートを支えながら起伏状の陰部に宛がって排泄物を拭き取ることになるので、貫通孔から直接排泄物が付着したり、スリットが破れて排泄物が付着するおそれがある。かかる場合には、使用者の指先が汚染されるので不衛生であって、かかる事態を避けるために、シートを折り重ねて使用する場合には、起伏状の陰部にシートが入り込み難くなるので、着用者の陰部を強く擦って刺激や不快感を与えるおそれがある。
【０００６】
本発明の目的は、柔軟性に優れ、排泄物を衛生的に拭き取ることのできる拭浄シートを提供することにある。
【課題を解決するための手段】
【０００７】
前記課題を解決するために、本発明の第１及び第２発明は、厚さ方向を有し、拭き取り面及びその反対側に位置する指当接面を含む拭浄シートにある。
【０００８】
本発明に係る第１発明の拭浄シートは、前記拭き取り面に位置する第１層と、前記指当接面に位置する第２層と、前記第１層と前記第２層との間に位置する第３層とを有するスパンレース不織布であって、前記第１及び第２層は親水性繊維を含み、前記第３層はセルロース系の親水性繊維を含み、前記拭き取り面は、凹部と凸部とを含む凹凸構造を有し、前記凸部と前記凹部との前記厚さ方向における寸法差が０．５−１．５ｍｍであって、単位面積１．０〜４．０ｃｍ２に占める前記凸部の総面積率が２０−４０％であって、面積１．２ｃｍ２を有する先端部を含む測定棒を使用した突き刺し試験において、ドライ状態における、突き刺し強度が２４．９−４９．６Ｎであって、ウエット状態における突き刺し強度が１９．５−３５．３Ｎであって、ドライ状態における突き刺し強度に対するウエット状態における突き刺し強度の低下率が３０％以内であることを特徴とする。
【０００９】
１つの実施態様では、前記第１及び第２層の親水性繊維が、セルロース系繊維及び親水化合成繊維の混合である。
１つの実施態様では、前記第３層のセルロース系の親水性繊維が、パルプ繊維である。
１つの実施態様では、前記凸部は、複数のラインが交差する格子形態を有し、前記複数のラインどうしが交差する交点において最も厚さ方向外側へ突出する突出部分が位置する。この態様によれば、凸部において部分的に突出部分が配置されることによって、より陰部の奥までシートの拭き取り面が到達しやすくなるために拭き取り難い排泄物を効果的に拭き取ることができる。
【００１０】
１つの実施態様では、前記突出部分の幅寸法が前記凸部の幅寸法よりも大きい。この態様によれば、陰部の溝部分に入り込んだ排泄物の掻き出し効果をより発揮することができるとともに、最も突出した突出部分が比較的に幅広であることから、先鋭状の凸部が直接肌に触れることによる刺激を低減することができる。
【００１３】
本発明に係る第２発明の拭浄シートは、前記拭き取り面に位置する第１層と、前記指当接面に位置する第２層と、前記第１層と前記第２層との間に位置する第３層とを有するスパンレース不織布であって、前記第１及び第２層は親水性繊維を含み、前記第３層はパルプ繊維を含み、前記拭き取り面は、凹部と凸部とを含む凹凸構造を有し、前記凸部と前記凹部との前記厚さ方向における寸法差が０．５−１．５ｍｍであって、単位面積１．０〜４．０ｃｍ２に占める前記凸部の総面積率が２０−４０％であって、前記第１及び第２層の親水性繊維の繊維長が、２０−５０ｍｍの、レーヨン繊維及び親水化ＰＥＴ繊維から構成されており、前記パルプ繊維の平均繊維長は２．０−３．０ｍｍである。この態様によれば、第１層及び第２層を構成する合成繊維が比較的に繊維長の大きい長繊維であることによって、シート破れを抑制することができるとともに、第３層のパルプ繊維の繊維長が比較的に小さいので、交絡した合成繊維の間からその一部が露出しにくくなり、使用時のパルプ繊維の毛羽立ちを抑えることができる。
【００１４】
１つの実施態様では、前記第３層の厚さ寸法が、前記第１層の厚さ寸法よりも小さく、かつ、前記第２層の厚さ寸法よりも小さい。この態様によれば、パルプ層が比較的に肉薄となり、シートを折り曲げても、パルプ繊維が第１及び第２層の繊維間隙から外部に脱落し難く、パルプ繊維による毛羽立ちを抑制することができる。
【発明の効果】
【００１５】
本発明に係る拭浄シートは、中間層にパルプ繊維を含む複層構造を有するスパンレース繊維不織布から形成されているから、柔軟性と吸収性に優れるとともに、拭き取り面が凹凸構造を有し、かつ、凸部と凹部との厚さ寸法における寸法差が０．５−１．５ｍｍであって、単位面積当たり（指先の面積）に占める凸部の総面積率が２０−４０％である。この態様によれば、指先を起伏のある陰部に挿し入れて排泄物を拭き取るときに、指が排泄物に汚染されることなく、排泄物を掻き取るようにしてより効果的に拭き取ることができる。
【図面の簡単な説明】
【００１６】
図面は、本発明の特定の実施の形態を示し、発明の不可欠な構成ばかりでなく、選択的及び好ましい実施の形態を含む。
【図１】拭浄シートの一部破断斜視図。
【図２】図１においてＩＩ線で囲んだ領域の一部拡大図。
【図３】拭浄シートの凹凸構造を示す平面図。
【図４】（ａ）図３に示す、ＩＶ（ａ）線に沿う断面図。（ｂ）図３に示す、ＩＶ（ｂ）線に沿う断面図。（ｃ）図４（ａ）においてＩＶ（ｃ）で示した領域の一部拡大図。
【図５】第１〜第３層の複層構造の様子を示す、拭浄シートの拡大断面図。
【図６】使用者が人差し指で拭浄シートを突き上げるように持ち上げた状態における図。
【図７】図６に示した状態において、排泄物を拭き取るために、拭浄シートを着用者の陰部に押し当てた状態を示す図。
【図８】突き刺し試験の測定の様子を示す図。
【発明を実施するための形態】
【００１７】
下記の実施の形態は、図１〜８に示す拭浄シート１０に関し、発明の不可欠な構成ばかりではなく、選択的及び好ましい構成を含む。なお、図４において、説明の便宜上、凸部２０を形成する第１及び第２凸ライン２１，２２を線形状、それらの交点に位置する突出部分４０をドット状で示している。
【００１８】
図１〜図５を参照すると、本発明に係る拭浄シート１０の一例として示す、拭浄シート１０は、第１方向Ｘとそれに交差する第２方向Ｙと、厚さ方向Ｚを有し、厚さ方向Ｚにおいて対向する拭き取り面１０Ａと指当接面１０Ｂと、拭き取り面１０Ａに位置する第１層１１と、指当接面１０Ｂに位置する第２層１２と、第１層１１と第２層１２との間に位置する第３層１３とを含む。第１層１１、第３層１３及び第２層１２は、それらを構成する繊維どうしがウォータージェット処理（スパンレース法）によって交絡されることによって複合一体化された複層構造を有する。拭浄シート１０は、使い捨ておむつやおむつカバー等の体液吸収性の着用物品を着用した乳幼児や高齢者等の着用者の陰部に付着した排泄物（尿、便）を拭き取るために使用され、使用者は、着用物品の着用者又は母親や介護補助者等である。
【００１９】
拭浄シート１０は、厚さ方向Ｚへ起伏する凹凸構造であって、拭き取り面１０Ａ側における凸部２０と、凸部２０間に位置する凹部３０とを有する。凸部２０は、拭き取り面１０Ａ上において第１及び第２方向Ｘ，Ｙにおいて互いに交差して延びる複数のライン２１，２２からなる格子形態を有し、凹部３０は格子状に交差する凸部２０間に位置する略矩形の形態を有する。また、図３〜図５を参照すると、凸部２０は複数のライン２１，２２どうしが互いに交差する交点において、最も厚さ方向外側へ突出する突出部分４０が位置し、厚さ方向Ｚにおいて段差になっている。凹部３０は、有底であって、ほぼ平坦状の底面を有する。突出部分４０と凹部３０とは、図示例において、その輪郭をなす四辺がほぼ同等の長さ寸法を有する矩形状であるが、後記の本発明の効果を奏する限りにおいて、長方形、三角形、円形、楕円形等の各種公知の形状を有していてもよい。
【００２０】
第１層１１及び第２層１２は、セルロース系の親水性繊維と親水化合成繊維との混合繊維ウエブから形成されている。セルロース系の親水性繊維の材料としては、レーヨン繊維等の再生繊維、コットン繊維等の天然繊維を用いることができる。親水化合成繊維としては、ポリエステル系繊維、例えば、ポリエチレンテレフタレート（ＰＥＴ）のほか、ポリオレフィン系繊維、例えば、ポリプロピレン（ＰＰ）、ポリエチレン（ＰＥ）の各繊維およびこれらを用いた芯鞘型の複合繊維を用いることができる。複合繊維の鞘部分を形成する材料には、芯部分を形成する材料に比べて溶融温度の低いものが使用される。かかる芯鞘型の複合繊維としては、例えば、ポリエチレンとポリプロピレン、ポリエチレンとポリエステル、ポリプロピレンとポリエステル、ポリエチレンテレフタレートとポリエチレンの組み合わせ等がある。ここにおいて、「親水化合成繊維」とは、その繊維自体の材料が疎水性を有するものであって、その材料を親水化剤で処理したものを指し、その「親水化合成繊維」は、本発明において「親水性繊維」に含められる。親水化処理としては、繊維表面に親水化剤（油剤）を付着したもの、又はその繊維内に親水化剤（油剤）を含有させたものが挙げられる。
【００２１】
図５を参照すると、本実施形態において、第１及び第２層１１，１２には、好ましくは、レーヨン繊維と親水化ＰＥＴ（ポリエチレンテレフタレート）繊維とを８０：２０−６０：４０の割合（質量％）で混合した繊維ウエブから形成することができる。親水化ＰＥＴ繊維は、合成繊維の中で最も生産量が多いポリエステル系繊維の一種であって、強度性、耐熱性、耐水性、耐酸性、耐アルカリ性等に優れ拭浄シートの材料として好適である。また、親水化ＰＥＴ繊維を使用することによって製品の表裏面の滑り性が向上し、両面のうちのいずれかを拭き取り面１０Ａとして使用しても、おむつの着用者の陰部から排泄物を拭浄するときに、摩擦によって刺激することを抑制することができる。
【００２２】
第３層１３は、セルロース系の親水性繊維、好ましくは、パルプ繊維から形成され、使用されるパルプ繊維は一般的に使用される広葉樹及び針葉樹の木材繊維のほかに、木材パルプ繊維以外の植物繊維や合成繊維（好ましくは、親水化処理されたもの）などを組み合わせることができる。ただし、針葉樹のパルプ繊維が第３層１３の引張強度を発揮するうえで好ましい。また、パルプ繊維の他に、マニラ麻、楮、三椏、リンターパルプを混合してもよい。第３層１３としては、パルプ繊維から抄紙した紙を使用することもできる。
【００２３】
拭浄シート１０は、着用者の陰部に付着した排泄物、特に、大便を拭き取るのに必要な大きさを有するものであって、例えば、成人用として使用する場合には、１辺の長さ寸法Ｌ１が２００−２７０ｍｍであって、その面積が４０−７３ｃｍ２であることが好ましい。拭浄シート１０がかかる面積を有することから、着用者の陰部に付着した大便を拭浄するのに十分な大きさであるとともに、携帯性に優れ、折曲した複数のシートからなる積層体を収容容器にコンパクトに収容することができる。なお、図示例においては、拭浄シート１０は、第１方向Ｘと第２方向Ｙとの寸法がほぼ同等の矩形状であるが、長方形状、円形状、三角形状、帯状等の各種公知の形状を適宜採用することができる。
【００２４】
拭浄シート１０の厚さ寸法Ｄ１は約０．３−０．８ｍｍ、第１層１１の厚さ寸法Ｄ２は約０．１−０．３ｍｍ、第３層１３の厚さ寸法Ｄ３は約０．０８−０．２ｍｍ、第２層１２の厚さ寸法Ｄ４は、約０．１−０．３ｍｍである。第１層１１の見掛けの質量は約１０−２０ｇ／ｍ２、見掛け密度は約０．０１−０．０１４ｇ／ｃｍ３、第３層１３の見掛け質量は約１０−２０ｇ／ｍ２、見掛け密度は約０．００７−０．０１１ｇ／ｃｍ３、第２層１２の見掛け質量は約１０−２０ｇ／ｍ２、見掛け密度は約０．００９−０．０１３ｇ／ｃｍ３である。各厚さ寸法Ｄ１−Ｄ４の測定には、厚さ測定器（ＰＥＡＣＯＣＫ社製、測定面φ４４ｍｍ、測定圧３ｇ／ｃｍ３）を使用した。
【００２５】
拭浄シート１０の厚さ寸法Ｄ１が０．３ｍｍ以上であることから、所要のシート強度を有するとともに、着用者の陰部を拭浄するときに使用者に厚手感を与えることができ、使用者は安心して指先を陰部に挿入するように宛がうことができる。また、厚さ寸法Ｄ１が０．８ｍｍ以下であることから、一定のシート強度を保ちつつ、陰部を拭浄したときに拭浄シート１０内で摩擦によるズレが生じて指先による拭浄しようとする力が拭き取り面１０Ａに十分に伝わらないという事態が生じることはない。拭浄シート１０において、第３層１３の厚さ寸法Ｄ３が、第１及び第２層１１，１２の厚さ寸法Ｄ２，Ｄ４よりも小さいことが好ましい。第３層１３の厚さ寸法Ｄ３が厚さ方向Ｚにおいてそれを被覆する第１及び第２層１１，１２の厚さ寸法Ｄ２，Ｄ４よりも小さいことによって、パルプ繊維層からなる第３層１３が比較的に肉薄となるので、拭浄シート１０を複数に折り曲げて使用する場合等に、第１及び第２層１１，１２の繊維間隙からパルプ繊維が外部に脱落して、毛羽立つのを抑制することができる。また、第３層１３の見掛け密度を、第１及び第２層１１，１２それぞれの見掛け密度よりも小さくすることによって、相対的に第１及び第２層１１，１２の見掛け密度が高くなり、両層１１，１２の繊維間隙が比較的に小さくなり、パルプ繊維による毛羽立ちをより抑制することができる。
【００２６】
第１及び第２層１１，１２に使用されるレーヨン繊維及び親水化ＰＥＴ繊維の繊度は約１．５−１．８ｄｔｅｘ、好ましくは約１．７ｄｔｅｘ以下である。また、レーヨン繊維及び親水化ＰＥＴ繊維の繊維長は、約２０−５０ｍｍ、好ましくは、３５−４０ｍｍである。第３層１３に使用されるパルプ繊維の平均繊維長は約２．０−３．０ｍｍ、好ましくは、約２．２ｍｍ以上である。このように、第３層１３のパルプ繊維が、平均繊維長が約２．０−３．０ｍｍの短繊維（ステープル）であるのに対し、第１及び第２層１１，１２を構成する合成繊維の繊維長の比較的に大きな長繊維（ストランド）であることから、交絡した合成繊維の間からパルプ繊維が脱落し難くなるといえる。また、第１及び第２層１１，１２の合成繊維は、粉塵（ダスト）の拭き取り用等に使用される市販のドライタオルを形成する繊維に比べて約４倍の平均繊維長を有しているので、後記のとおり、拭浄の際に所要の突き刺し強度（引裂強度）を発揮するとともに、繊維を溶着して形成するものではなく、流体によって繊維を交絡（水素結合を含む）して形成されたものであるから、柔軟であって肌触り性に優れ、身体のうちで皮膚の薄い陰部を擦るように拭浄しても肌を刺激するおそれはない。
【００２７】
図３及び図４（ａ），（ｂ），（ｃ）を参照すると、凸部２０は、第１方向Ｘ及び第２方向Ｙへ斜めに延びる複数条の第１凸ライン２１と第１凸ライン２１と交差する複数条の第２凸ライン２２とを有する。矩形状の凹部３０の輪郭をなす１辺の大きさ、すなわち、凸部２０間の離間距離（突出部分４０の中心間の距離）Ｒ１は６．０−８．０ｍｍ、凹部３０を横断するように、第１方向Ｘヘ延びるラインの長さ寸法（突出部分４０の中心間の距離）Ｒ２は４．０−６．０ｍｍである。また、凸部２０の高さ寸法（凸部２０の表面と凹部３０の表面との厚さ方向Ｚにおける寸法差）Ｈ１、すなわち、凹部３０の底面３１から凸部２０の頂点までの距離は、０．５−１．５ｍｍであって、突出部分４０の高さ寸法Ｈ２、すなわち、凹部３０の底面３１から突出部分４０の頂点までの離間距離は、１．８−２．５ｍｍである。凸部２０の高さ寸法Ｈ１が０．５ｍｍ未満の場合には、シート全体の厚みが小さくなって陰部に差し入れにくく、寸法Ｈ１が１．５ｍｍより大きい場合には、シート全体の厚み寸法が大きくなりすぎて、凸部２０まで指先の力が伝わり難くなって、拭浄効果が低下するおそれがある。さらに、突出部分４０の幅寸法（第１方向Ｘ又は第２方向Ｙにおける寸法）Ｗ１は０．１−０．３ｍｍであるのに対し、凸部２０の幅寸法（第１方向Ｘ又は第２方向Ｙにおける寸法）Ｗ２は０．０５−０．０９ｍｍである。このように、突出部分４０の幅寸法Ｗ１が凸部２０の幅寸法Ｗ２よりも大きく、比較的に幅広であることから、先鋭状の凸部２０が陰部に触れるよりも先に突出部分４０が触れることによって、肌に対する刺激を低減することができる。
【００２８】
図４（ｃ）を参照すると、また、突出部分４０の傾斜角度、すなわち、突出部分４０間を結ぶ仮想線Ｋ１と、突出部分４０の角部位Ｐ１と凹部３０の中央に位置する部位Ｐ２とを結ぶ仮想線Ｋ２との交角αは、１５−３５度である。かかる傾斜角度の測定方法としては、電子顕微鏡によるシート断面の拡大写真を用いて実測する方法のほかに、高速・高精度ＣＣＤレーザー変位計（コントローラー：LK-G3000Vセット、センサヘッド：LK-G30を含む）を用いてシート表面にレーザーを照射することによって測定することもできる。傾斜角度αが１５度以下の場合には、排泄物８０の掻き取り効果が低くなって凹凸状の陰部５０から十分に排泄物を掻き取ることができず、傾斜角度αが３５度以上の場合には、使用するときに着用者にザラザラとした触感を与え、陰部５０を刺激するおそれがある。
【００２９】
図６，７を参照すると、日常的に使い捨ておむつ等の体液吸収性物品を着用する、寝たきりの高齢者等の着用者が排泄したときには、介護者（使用者）によって鼠蹊部間に位置する女性の排尿器や臀裂間に位置する肛門等の陰部５０に付着した排泄物８０を拭浄する必要があるが、使用者の手全体で拭浄できる程度のスペースがなく、指先６１に拭浄シート１０を載せた状態のまま鼠蹊部や臀裂の間に指（人差し指）６０を挿入するようにして拭浄シート１０を宛がって排泄物を拭き取る必要がある。
【００３０】
例えば、洗浄用又は清掃用として一般的に使用されている表面が平滑な吸水性シートを拭浄シートとして使用した場合には、肛門等の陰部の周辺は起伏状をなしているので、陰部の周辺にこびりつくように付着した排泄物をすべて拭浄することは困難である。一方、表面に複数の開孔を有する吸水性に富む吸収シートを拭浄シートとして使用した場合には、開口縁によって起伏状をなす陰部周辺に付着した排泄物を拭き取ることが可能であるが、開孔を通して排泄物が使用者の指に直接接触するおそれがあるので、不衛生である。また、これらの表面が平滑な吸水シートや複数の開口を有する吸水シートは、比較的にシート強度が低く、拭浄シート１０によって被覆された指先を陰部に向かって挿入して繰り返し排泄物を拭き取ることによって、指先の当たっている部分が破れてしまうおそれがある。特に、使用者が爪先の長い女性の場合には、かかるシート破れが生じるおそれが高くなる。
【００３１】
本実施形態における拭浄シート１０は、拭き取り面１０Ａにおいて、凸部２０と凹部３０とからなる凹凸構造を有することから、起伏状の陰部５０及びその周辺にこびりついて付着した排泄物８０をそぎ落とすようにして拭き取ることができる。このように、指先６１に載置した拭浄シート１０によって、排泄物８０を効果的に拭浄するためには、拭き取り面１０Ａの凹凸状の起伏度合いが陰部５０及びその周辺の起伏度合いよりも大きいことが好ましく、図４（ｂ）を参照すると、具体的には、凸部２０と凹部３０との厚さ寸法における寸法差Ｈ１が０．５−１．５ｍｍであることが好ましい。さらに、排泄物８０を拭き取る領域である、指先６１が当接される領域（当接領域）７０の面積（単位面積）に占める凸部２０の総面積率が２０−４０％であることが好ましい。凸部２０の総面積率が２０％未満の場合には、陰部５０との接触面積が小さくなって排泄物８０が拭き取り難くなる一方、凸部２０の総面積率が４０％よりも大きい場合には、凸部２０が陰部５０の形状に沿い難くなり、部分的にシートと陰部５０との間に隙間が生じて排泄物８０まで到達しないおそれがある。本明細書において、「指先６１の当接される当接領域７０の面積（単位面積）」とは、成人の男性及び女性の人差し指又は中指の指先（第１関節よりも上方の部分）の平均的な面積を意味するものであって、具体的には、１．０−４．０ｃｍ２の大きさを意味する。
【００３２】
凸部２０と凹部３０との厚さ方向Ｚにおける寸法差Ｈ１が０．５−１．５ｍｍであり、かつ、当接領域７０に占める凸部２０の総面積率が２０−４０％であることによって、例えば、水様便のような粘性の高い排泄物８０が肛門及びその周辺の溝部分に入り込んだ場合であっても、凹凸部３０，２０の起伏度合いが比較的に大きく、当接領域７０に占める凸部２０の総面積率が比較的に高いことから、溝部分に入り込んだ排泄物８０を掻き出すようにして拭き取ることができる。
【００３３】
また、凸部２０の互いに交差する複数条の第１及び第２凸ライン２１，２２の交点において、凸部２０よりも厚さ方向外側へ突出した突出部分４０が位置することによって、突出部分４０が凸部２０よりもさらに陰部の奥の方まで入り込むことができるので、排泄物８０を確実に掻き出すことができる。また、凸部２０と突出部分４０との段差において排泄物を掻き出すためには、それらの厚さ方向Ｚにおける寸法差（Ｈ２−Ｈ１）が０．５−２．０ｍｍであることが好ましく、より好ましくは、０．５−１．５ｍｍである。かかる寸法差が０．５ｍｍ未満であると、厚み差が小さくなって突出部分４０が陰部５０の奥の方の排泄物８０まで到達しないおそれがあり、一方、寸法差が２．０ｍｍよりも大きい場合には、突出部分４０を陰部５０の奥の方まで到達させることができるが、指先の力が伝達し難くなって、こびり付いた排泄物８０を十分に掻き出すことができなくなる。
【００３４】
また、下記の本発明に係る実施例および比較例１〜３における曲げ特性の測定及び突き刺し強度を以下の方法で測定した。測定結果を以下の表１に示した。
【００３５】
【表１】
0006748552.tif 000002
【００３６】
＜実施例１＞
質量４４．７４ｇ／ｍ２、厚さ０．６５ｍｍの拭浄シート１０であって、第１及び第２層１１，１２として繊度１．３ｄｔｅｘ，平均繊維長３８ｍｍの親水化ＰＥＴ繊維とレーヨン繊維とを７０：３０の割合で配合した繊維ウエブ、第３層１３として、平均繊維長２．２ｍｍのＮＢＫＰ（針葉樹クラフト法漂白パルプ）から構成された質量２０ｇ／ｍ２の繊維ウエブを使用した。また、凸部２０と凹部３０との厚さ方向Ｚにおける寸法差が０．７ｍｍであって、単位面積に占める凸部の総面積率は２０％であった。
【００３７】
＜実施例２＞
質量４７．０９ｇ／ｍ２、厚さ約０．５９ｍｍの拭浄シート１０であって、第１及び第２層１１，１２として繊度１．３ｄｔｅｘ，平均繊維長３８ｍｍの親水化ＰＥＴ繊維とレーヨン繊維とを７０：３０の割合で配合した繊維ウエブ、第３層１３として、平均繊維長２．２ｍｍのＮＢＫＰ（針葉樹クラフト法漂白パルプ）から構成された質量２０ｇ／ｍ２の繊維ウエブを使用した。また、凸部２０と凹部３０との厚さ方向Ｚにおける寸法差が０．５ｍｍであって、単位面積に占める凸部の総面積率は２５％であった。
【００３８】
＜実施例３＞
質量４９．４４ｇ／ｍ２、厚さ約０．５３ｍｍの拭浄シート１０であって、第１及び第２層１１，１２として繊度１．３ｄｔｅｘ，平均繊維長３８ｍｍの親水化ＰＥＴ繊維とレーヨン繊維とを７０：３０の割合で配合した繊維ウエブ、第３層１３として、平均繊維長２．２ｍｍのＮＢＫＰ（針葉樹クラフト法漂白パルプ）から構成された質量２０ｇ／ｍ２の繊維ウエブを使用した。また、凸部２０と凹部３０との厚さ方向Ｚにおける寸法差が１．５ｍｍであって、単位面積に占める凸部の総面積率は４０％であった。
【００３９】
＜比較例１＞
合成繊維層とパルプ層との２層構造を有する、質量７４．０ｇ／ｍ２、厚さ０．６８ｍｍの拭浄シートであって、各層の組成については実施例１と同様であった。かかる拭浄シートの両面は、凹凸状に起伏した形状ではなく、ほぼ平滑である。
【００４０】
＜比較例２＞
パルプ層のみからなる３層構造を有する、質量３７．４ｇ／ｍ２、厚さ０．４１ｍｍの拭浄シートであって、各層の質量はほぼ同一であって、その組成については実施例１と同様であった。また、かかる拭浄シートは、実施例１と同様の凹凸パターンからなる起伏状に賦型されており、凸部と凹部との厚さ方向における寸法差が２．０ｍｍ、単位面積に占める凸部の総面積率は１５％であった。
【００４１】
＜比較例３＞
パルプ層のみからなる４層構造を有する、質量５３．５ｇ／ｍ２、厚さ０．７２ｍｍの拭浄シートであって、各層の質量はほぼ同一であって、その組成については実施例１と同様であった。また、かかる拭浄シートは、実施例１と凹凸パターンからなる起伏状に賦型されており、凸部と凹部との厚さ方向における寸法差が０．３ｍｍ、単位面積に占める凸部の総面積率は５０％であった。
【００４２】
＜曲げ特性の測定＞
曲げ特性の測定は、カトーテック（株）製ＫＥＳ−ＦＢ２を用いて、実施例１〜３及び比較例１〜３の各サンプルの所定領域の５ｃｍ幅を試料として１ｃｍ間隔のチャック間に固定し、最大曲率＋２．５ｃｍ-1まで表側に曲げ、次に、最大曲率−２.５ｃｍ-１まで裏側に曲げた後に元に戻すことによって行った。試料は重力の影響を少なくするために垂直にした状態で測定をし、曲げ剛性Ｂ［ｇｆ・ｃｍ２／ｃｍ］は、表側に曲げはじめて曲率に対する曲モーメントの傾きがほぼ一定になったときの傾きから算出し、曲げ回復性２ＨＢ［ｇｆ・ｃｍ２／ｃｍ］は、そのヒステリシス幅から求めた。また、曲げ剛性Ｂは、第１方向Ｘ及び第２方向Ｙの数値を平均したものである。同様の測定を３回（Ｎ＝３）行い、平均値を各サンプルの曲げ剛性値及び曲げ回復性値とした。
【００４３】
＜突き刺し強度の測定試験＞
（１）試験装置
デジタルフォースゲージ（digital force guage）(５０Ｎ)
デジタルフォースゲージ用の可動スタンド
（２）使用器具
突き刺し用の治具（先端部が単位面積相当の大きさ（１．２ｃｍ２）を有する測定棒）
フックテープ付きのシャーレ（円筒容器）
はさみ
定規（最小目盛が１ｍｍ以下）
【００４４】
図８を参照して、突き刺し強度の測定試験の方法について、簡潔に説明すると、まず測定前の準備として、計測スタンド８８のアームにデジタルフォースゲージ８９を上下動可能に取り付け、デジタルフォースゲージ８９に突き刺し用治具９０を取り付けて、測定スタンド８８を最大荷重値（Ｎ）が表示されるモードに設定した。次に、計測スタンド８８のアームの下降速度を９００／ｍｉｎに設定した。測定用のサンプル１００として、拭浄シート１０を８０×８０ｍｍの大きさにはさみでカットしたものを準備してシャーレ９１に固定した。具体的には、シャーレ９１の開口縁部の外周面にはフックテープが配置されており、フックテープを介して測定用サンプル１００をシャーレ９１に固定した。
【００４５】
サンプル１００が固定されたシャーレ９１を計測スタンド８８の計測台にセットし（このとき、突き刺し用治具９０の先端９０ａがサンプル１００の表面１００ａに当たるようにシャーレ９１の位置合わせをする）、計測スタンド８８の表示を初期値（０）設定し、計測スタンド８８のアームを突き刺し速度(下降速度)９００／ｍｉｎで下降させて、突き刺し用治具９０によってサンプル１００を突き刺し、サンプル１００が破断したときの最大荷重値を記録した。かかる測定を１０回実施して、各測定によって得られた最大荷重値の平均値を突き刺し強度（Ｎ）とした。また、突き刺し時のシートの伸度（ｍｍ）を求めるとともに、突き刺しまでの時間を伸度時間（ｓｅｃ）とした。サンプル１００ごとに、ドライ状態とウエット状態とのそれぞれについて測定した。なお、ウエット状態とは、拭浄シートの最初（１回目）の使用を想定し、１０ｍｌの生理食塩水を含ませたものを「湿潤Ａ」、生理食塩水を２０ｍｌ含ませたものを「湿潤Ｂ」として測定した。
【００４６】
曲げ特性の測定の結果、実施例１〜３に係る拭浄シート１０の第１方向Ｘ（又は第２方向Ｙ）におけるＫＥＳ法による曲げ剛性Ｂは０．０４９７−０．０５４９ｇｆ・ｃｍ２／ｃｍ以下、曲げ回復性２ＨＢが０．０５８７−０．０６４９ｇｆ・ｃｍ２／ｃｍであった。比較例１のシートは、質量及び厚さ寸法が実施例に係る拭浄シート１０よりも大きいことから、比較的に肉厚であって剛性が高く、排泄物を拭き取るときに擦れて陰部を刺激してしまうおそれがある。
【００４７】
突き刺し測定試験（単位面積を有する先端部を含む測定棒を使用した突き刺し試験）の結果、実施例１〜３に係る拭浄シート１０のドライ状態における突き刺し強度が２４．９−４９．６Ｎであって、突き刺し発生時の伸度が４２．８−６４．２ｍｍ、ウエット状態（湿潤Ａ）における突き刺し強度が２０．０−３５．３Ｎ，突き刺し発生時の伸度が４１．０−６１．５ｍｍ、ウエット状態（湿潤Ｂ）における突き刺し強度が１９．５−３４．７Ｎであった。以上の結果から、ドライ時及びウエット時を問わず、拭浄シート１０の突き刺し強度は、１９．５−４９．６Ｎであることが好ましい。突き刺し強度が１９．５Ｎ未満の場合には、爪先が長い女性の使用者等が拭浄した際にシートの一部が破れてしまうおそれがあり、一方、突き刺し強度が４９．６Ｎよりも大きい場合には、シート自体の剛性が高くなって肌触りが低下して陰部に刺激を与えるおそれがある。
【００４８】
ドライ状態および湿潤Ａ，Ｂのウエット状態においても、実施例の拭浄シート１０の突き刺し強度が、比較例１〜３の突き刺し強度よりも高くなっており、特に、比較例２及び３に比べて、ドライ時は約５倍以上、ウエット時は約２０倍以上の突き刺し強度を有していた。また、実施例の拭浄シート１０は、比較例１〜３のシートに比べて、突き刺し時の伸度時間が長く、かつ、伸度が大きかった。このように、拭浄シート１０の突き刺し強度及び伸度が高いことから、指先６１を突き立てるようにして陰部５０に付着した排泄物８０を拭き取るときに、シート破れによって指先６１が汚れにくい。
【００４９】
また、拭浄シート１０のドライ状態における突き刺し強度が２４．９−４９．６Ｎであり、ウエット状態の突き刺し強度が１９．５−３５．３Ｎ（平均は、２９．９Ｎ）であることから、ドライ状態における突き刺し強度に対するウエット状態における突き刺し強度の低下率が３０％以内であるといえる。したがって、排泄物を拭き取る前の最初（１回目）に使用するドライ状態と、排尿等の液体を吸収した後の２回目以降のウエット状態とにおいて、突き刺し強度に大きな相違はないことから、２回目以降においても所要の突き刺し強度を発揮して、シート破れによって指先が排泄物で汚染されることはない。
【００５０】
以上の測定結果から、本発明に係る拭浄シート１０は、繊維を加熱して融着したものではなく、流体によって繊維を交絡して（水素結合を含む）シートを形成するスパンレース繊維不織布製であって、質量及び厚さ寸法がこの種の拭浄シートに比べて高いものではないことから柔軟であって肌当たりが良好であるとともに、シート剛性が比較的に高いので、使用によってシートが破断するおそれはない。また、拭浄シート１０は、所要の突き刺し強度、突き刺し時の伸度時間及び伸度を有することから、使用者が指先６１を突き立てるようにして着用者の陰部に付着した排泄物を拭き取るときに、指先６１の爪先が引っ掛かってシートが破れ、排泄物が指先６１に付着するのを防止することができる。
【００５１】
拭浄シート１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている、「第１」及び「第２」の用語は、同様の要素、位置等を単に区別するために用いている。
【符号の説明】
【００５２】
１０  拭浄シート
１０Ａ  拭き取り面
１０Ｂ  指当接面
１１  第１層
１２  第２層
１３  第３層
２０  凸部
２１  第１凸ライン
２２  第２凸ライン
３０  凹部
３１  凹部の底面
４０  突出部分
７０  単位面積
９０    測定棒（突き刺し用の治具）
９０ａ  測定棒の先端部
Ｄ２  第１層の厚さ寸法
Ｄ３  第３層の厚さ寸法
Ｄ４  第２層の厚さ寸法
Ｈ１  凸部と凹部との厚さ方向における寸法差
Ｗ１  突出部分の幅寸法
Ｗ２  凸部の幅寸法
Ｘ    第１方向
Ｙ    第２方向
Ｚ    厚さ方向
【図１】
0006748552.tif 000003
【図２】
0006748552.tif 000004
【図３】
0006748552.tif 000005
【図４】
0006748552.tif 000006
【図５】
0006748552.tif 000007
【図６】
0006748552.tif 000008
【図７】
0006748552.tif 000009
【図８】
0006748552.tif 000010